(57)【特許請求の範囲】
【請求項１】
２つのバンドを相互に重ね合わせて着脱自在に連結される部位において、一方のバンドに遊嵌状態で装着される環状の遊嵌部材を備え、
前記他方のバンドの先端部を遊嵌部材に挿入して、遊嵌部材の内周側に突設するように形成された係合突起と、他方のバンドに形成された係止孔とを係合することによって、２つのバンドを相互に重ね合わせて着脱自在に連結するように構成したバンドの連結構造であって、
前記遊嵌部材の外周側において、遊嵌部材の内周側に形成された係合突起に対応する位置に、係合突起の位置を視認できるようにした位置合わせ部を形成したことを特徴とするバンドの連結構造。
【請求項２】
前記位置合わせ部が、遊嵌部材の外周側の係合突起に対応する位置に形成された指標マーク、指標突設部、または、指標凹部から構成されていることを特徴とする請求項１に記載のバンドの連結構造。
【請求項３】
前記指標突設部が、遊嵌部材の係合突起と一体的に形成されていることを特徴とする請求項２に記載のバンドの連結構造。
【請求項４】
前記指標突設部に、凹部が形成されており、この凹部に指標部材が嵌合されていることを特徴とする請求項２から３のいずれかに記載のバンドの連結構造。
【請求項５】
前記指標凹部に、指標部材が嵌合されていることを特徴とする請求項２に記載のバンドの連結構造。
【請求項６】
前記他方のバンドに形成された係止孔と、遊嵌部材の内周側に形成された係合突起とが合致する位置となるように、他方のバンドに、遊嵌部材を位置決めするバンド側位置合わせ部を形成したことを特徴とする請求項１から５のいずれかに記載のバンドの連結構造。
【請求項７】
前記バンド側位置合わせ部が、位置合わせマーク、位置合わせ突設部、または、位置合わせ凹部から構成されていることを特徴とする請求項６に記載のバンドの連結構造。
【請求項８】
前記バンド側位置合わせ部と位置合わせするための補助位置決め部が、遊嵌部材に形成されていることを特徴とする請求項６から７のいずれかに記載のバンドの連結構造。
【発明の詳細な説明】
【技術分野】
【０００１】
本発明は、例えば、腕時計のバンドなどにおいて、２つのバンドを相互に重ね合わせて着脱自在に連結される部位において、一方のバンドの先端部に遊嵌状態で装着される環状の遊嵌部材を備えたバンドの連結構造に関する。
【背景技術】
【０００２】
従来、２つのバンドを相互に重ね合わせて着脱自在に連結される構造のものとして、例えば、腕時計の時計バンドでは、尾錠を用いたものがある。
このような尾錠を用いた腕時計のバンドの連結構造としては、特許文献１（実開昭６３−１７８５０７号公報）、特許文献２（米国特許公報６８３０１６６号公報）などがある。
【０００３】
図１５〜図１７に示したように、これらの従来の腕時計のバンドの連結構造１００は、下記のような構造を有している。
すなわち、図１５に示したように、バンドの連結構造１００は、腕時計本体１０２の一方の端部１０２ａに、連結ピン１０４を介して、回動自在に連結された一方のバンド１０６を備えている。
【０００４】
この一方のバンド１０６には、その先端部に、連結ピン１０４を介して、回動自在に連結された略矩形状の尾錠１０８を備えている。この尾錠１０８は、略矩形状の枠部材１１０と、その基端部に回動自在に連結されたツク棒１１２を備えている。
また、この尾錠１０８と腕時計本体１０２の一方の端部１０２ａとの間には、一方のバンド１０６に遊嵌状態で装着された環状の可撓性の遊嵌部材１１４を備えている。この遊嵌部材１１４には、その内周側に突設するように形成された係合突起１１６を備えている。
【０００５】
一方、腕時計本体１０２の他方の端部１０２ｂに、連結ピン１０４を介して、回動自在に連結された他方のバンド１１８を備えている。
この他方のバンド１１８には、その先端部近傍に、他方のバンド１１８の長手方向に所定間隔離間して、複数の係止孔１２０が形成されている。
【０００６】
このように構成されるバンドの連結構造１００では、図１７の点線で示したように、２つのバンド１０６、１１８を相互に重ね合わせて着脱自在に連結するようになっている。
すなわち、他方のバンド１１８の先端部１１８ａを、尾錠１０８の枠部材１１０の開口部１１０ａの下方より挿入して、他方のバンド１１８の所定の位置の係止孔１２０に、尾錠１０８のツク棒１１２を、他方のバンド１１８の裏側から挿入して係止することによって、他方のバンド１１８の長さを所定の長さとなるようにする。
【０００７】
そして、尾錠１０８の枠部材１１０の開口部１１０ａの上方に位置する他方のバンド１１８の先端部１１８ａを遊嵌部材１１４に挿入して、他方のバンド１１８の尾錠１０８の枠部材１１０の開口部１１０ａから先端部１１８ａまでの部分を、一方のバンド１０６の上側に重ね合わせる。
【０００８】
この状態で、遊嵌部材１１４を、その両側部を指などで押すことによって、遊嵌部材１１４を拡径するように撓ませて、遊嵌部材１１４の内周側に形成された係合突起１１６を上方側に位置させつつ、これらのバンド１０６、１１８の長手方向に移動させる。これにより、係合突起１１６と他方のバンド１１８の係止孔１２０の位置を合わせて、遊嵌部材
１１４の両側部からの押圧を解除して、遊嵌部材１１４の撓み状態を解除して、遊嵌部材１１４を上側から下方へ押すことによって、遊嵌部材１１４の内周側に形成された係合突起１１６を下方に移動させて、他方のバンド１１８の所定の位置の係止孔１２０に挿入して係止する。
【０００９】
これによって、他方のバンド１１８の尾錠１０８の枠部材１１０の開口部１１０ａから先端部１１８ａまでの部分が、運動や、振動などによって、一方のバンド１０６の上側から離間する方向に移動して、邪魔になることがなく、また、他方のバンド１１８の係止孔１２０と、尾錠１０８のツク棒１１２との係合状態が解除されて、手首から腕時計本体１０２が脱落することがないように構成されている。
【特許文献１】実開昭６３−１７８５０７号公報
【特許文献２】米国特許公報６８３０１６６号公報
【発明の開示】
【発明が解決しようとする課題】
【００１０】
しかしながら、このような腕時計のバンドの連結構造１００では、遊嵌部材１１４の本体部分と、遊嵌部材１１４の内周側に形成された係合突起１１６が一体に形成されており、図１７のように、２つのバンド１０６、１１８を相互に重ね合わせて連結する際には、遊嵌部材１１４の外側からは、係合突起１１６が見えず、係合突起１１６の位置が確認できないものである。
また、このような状態では、一方のバンド１０６が、他方のバンド１１８の上に重なった状態であるので、下方に位置する他方のバンド１１８に形成された係止孔１２０の位置も確認できないものである。
【００１１】
従って、図１７のように、２つのバンド１０６、１１８を相互に重ね合わせて連結する際に、遊嵌部材１１４の内周側に形成された係合突起１１６を、他方のバンド１１８の所定の位置の係止孔１２０に挿入しにくく、係止するのに手間がかかることになっていた。
また、他方のバンド１１８の係止孔１２０と、遊嵌部材１１４の内周側に形成された係合突起１１６との係合が不完全となるおそれがあり、このため、運動や、振動などによって、他方のバンド１１８の係止孔１２０と、遊嵌部材１１４の係合突起１１６との係合状態が解除されるおそれがある。
【００１２】
その結果、他方のバンド１１８の尾錠１０８の枠部材１１０の開口部１１０ａから先端部１１８ａまでの部分が、運動や、振動などによって、一方のバンド１０６の上側から離間する方向に移動して、邪魔になり、さらには、これにより、手首から、バンド１０６、１１８、腕時計本体１０２が脱落するおそれがある。
また、遊嵌部材１１４の係合突起１１６が、例えば、樹脂などの可撓性の材料から形成されている場合には、遊嵌部材１１４の係合突起１１６を、他方のバンド１１８の係止孔１２０に、さらに挿入しにくく、係止するのに手間がかかる上、係合突起１１６が係止操作によって曲がるために、繰り返しの使用によって破断して、遊嵌部材１１４から脱落するおそれがあり、耐久性においても問題であった。
【００１３】
本発明は、このような現状に鑑み、２つのバンドを相互に重ね合わせて連結する際に、遊嵌部材の外側から、遊嵌部材の内周側に形成された係合突起の位置が確認でき、遊嵌部材の係合突起を、他方のバンドの所定の位置の係止孔に挿入し易く、係止するのに手間がかからず、確実に係止でき、運動や、振動などによっても、他方のバンドの係止孔と、遊嵌部材の係合突起との係合状態が解除されるおそれがなく、その結果、他方のバンドの先端部分が、邪魔にならず、バンドが脱落するおそれのないバンドの連結構造を提供することを目的とする。
【００１４】
また、本発明は、遊嵌部材の係合突起が、例えば、樹脂などの可撓性の材料から形成されている場合にも、遊嵌部材の係合突起を、他方のバンドの係止孔に、挿入し易く、係止するのに手間がかからず、係合突起が係止操作によって曲がらず、繰り返しの使用によっても破断せず、遊嵌部材から脱落するおそれがなく、耐久性も向上したバンドの連結構造を提供することを目的とする。
【００１５】
さらに、本発明は、２つのバンドを相互に重ね合わせて連結する際に、遊嵌部材の外側から、遊嵌部材の内周側に形成された係合突起の位置、ならびに、他方のバンドに形成された係止孔の位置が確認でき、遊嵌部材の係合突起を、他方のバンドの所定の位置の係止孔に挿入し易く、係止するのに手間がかからず、確実に係止でき、運動や、振動などによっても、他方のバンドの係止孔と、遊嵌部材の係合突起との係合状態が解除されるおそれがなく、その結果、他方のバンドの先端部分が、邪魔にならず、バンドが脱落するおそれのないバンドの連結構造を提供することを目的とする。
【課題を解決するための手段】
【００１６】
本発明は、前述したような従来技術における課題及び目的を達成するために発明されたものであって、本発明のバンドの連結構造は、
２つのバンドを相互に重ね合わせて着脱自在に連結される部位において、一方のバンドに遊嵌状態で装着される環状の遊嵌部材を備え、
前記他方のバンドの先端部を遊嵌部材に挿入して、遊嵌部材の内周側に突設するように形成された係合突起と、他方のバンドに形成された係止孔とを係合することによって、２つのバンドを相互に重ね合わせて着脱自在に連結するように構成したバンドの連結構造であって、
前記遊嵌部材の外周側において、遊嵌部材の内周側に形成された係合突起に対応する位置に、係合突起の位置を視認できるようにした位置合わせ部を形成したことを特徴とする。
【００１７】
このように構成することによって、２つのバンドを相互に重ね合わせて連結する際に、遊嵌部材の内周側に形成された係合突起に対応する位置に、位置合わせ部が形成されているので、この位置合わせ部によって、係合突起の位置を視認でき、確認できるので、遊嵌部材の外側から、遊嵌部材の内周側に形成された係合突起の位置が確実に確認できる。
【００１８】
このため、遊嵌部材の係合突起を、他方のバンドの所定の位置の係止孔に挿入し易く、係止するのに手間がかからず、確実に係止でき、運動や、振動などによっても、他方のバンドの係止孔と、遊嵌部材の係合突起との係合状態が解除されるおそれがなく、その結果、他方のバンドの先端部分が、邪魔にならず、バンドが脱落するおそれもない。
しかも、この位置合わせ部を、デザイン的に優れたデザインとすることによって、装飾性に優れ、美観が向上したバンドの連結構造を提供することができる。
【００１９】
また、遊嵌部材の係合突起が、例えば、樹脂などの可撓性の材料から形成されている場合にも、この位置合わせ部によって、係合突起の位置を視認でき、確認できるので、遊嵌部材の係合突起を、他方のバンドの係止孔に、挿入し易く、係止するのに手間がかからず、係合突起が係止操作によって曲がらず、繰り返しの使用によっても破断せず、遊嵌部材から脱落するおそれがなく、耐久性も向上したバンドの連結構造を提供することができる。
また、本発明のバンドの連結構造は、前記位置合わせ部が、遊嵌部材の外周側の係合突起に対応する位置に形成された指標マークから構成されていることを特徴とする。
【００２０】
このように位置合わせ部が、遊嵌部材の外周側の係合突起に対応する位置に形成された指標マークから構成されていれば、この指標マークによって、係合突起の位置を視認でき
、確認できるので、遊嵌部材の外側から、遊嵌部材の内周側に形成された係合突起の位置が確実に確認できる。
このため、遊嵌部材の係合突起を、他方のバンドの所定の位置の係止孔に挿入し易く、係止するのに手間がかからず、確実に係止でき、しかも、この指標マークを、デザイン的に優れたデザインとすることによって、装飾性に優れ、美観が向上したバンドの連結構造を提供することができる。
【００２１】
この場合、指標マークとしては、特に限定されるものではなく、例えば、印刷、スピンコート、塗装、ラミネート樹脂フィルムの貼着などによって形成することができる。
また、指標マークの形状、数、配置位置、色、材質などは、特に限定されるものではなく、様々な形状、数、配置位置、色、材質の指標マークを適宜選択することができる。
例えば、指標マークの色としては、遊嵌部材と同色色調のもの、異色色調のものを適宜選択することができる。
また、本発明のバンドの連結構造は、前記位置合わせ部が、遊嵌部材の外周側の係合突起に対応する位置に形成された指標突設部から構成されていることを特徴とする。
【００２２】
このように位置合わせ部が、遊嵌部材の外周側の係合突起に対応する位置に形成された指標突設部から構成されていれば、この指標突設部によって、係合突起の位置を視認でき、確認できるので、遊嵌部材の外側から、遊嵌部材の内周側に形成された係合突起の位置が確実に確認できる。
このため、遊嵌部材の係合突起を、他方のバンドの所定の位置の係止孔に挿入し易く、係止するのに手間がかからず、確実に係止でき、しかも、この指標突設部を、デザイン的に優れたデザインとすることによって、装飾性に優れ、美観が向上したバンドの連結構造を提供することができる。
【００２３】
また、指標突設部の形状、数、配置位置、色、材質などは、特に限定されるものではなく、様々な形状、数、配置位置の指標突設部を適宜選択することができる。
また、例えば、指標突設部を、金、銀、銅、黄銅、アルミニウム、マグネシウム、亜鉛、チタン、またはこれらの合金、チタン合金、ステンレススチール、タンタルカーバイドを採用することができ、高級感や耐久性などを向上することができる。さらに、例えば、指標突設部に、ダイヤなどの宝石、貴石などの輝石、装飾石などからなる宝飾が設けられていても良く、または、指標突設部自体をこれらの宝飾から構成しても良く、さらに高級感、装飾性に優れたバンドの連結構造を提供することができる。
【００２４】
さらに、例えば、指標突設部の色としては、遊嵌部材と同色色調のもの、異色色調のものを適宜選択することができる。
また、本発明のバンドの連結構造は、前記指標突設部の外周に、リング部材が装着されていることを特徴とする。
このように指標突設部の外周に、リング部材が装着されていれば、遊嵌部材の外側から、このリング部材によって、指標突設部が視認し易くなり、係合突起の位置を視認でき、確認できるので、遊嵌部材の外側から、遊嵌部材の内周側に形成された係合突起の位置が確実に確認できる。
【００２５】
このため、遊嵌部材の係合突起を、他方のバンドの所定の位置の係止孔に挿入し易く、係止するのに手間がかからず、確実に係止でき、しかも、この指標突設部とリング部材の組み合わせ、または、リング部材自体を、デザイン的に優れたデザインとすることによって、装飾性に優れ、美観が向上したバンドの連結構造を提供することができる。
この場合、リング部材の形状、数、配置位置、色、材質などは、特に限定されるものではなく、様々な形状、数、配置位置、色、材質のリング部材を適宜選択することができる。
【００２６】
例えば、リング部材を、指標突設部の外周に、複数のリング部材を離間して設けたり、部分的なリング形状のリング部材を設けたりすることができる。
また、例えば、リング部材を、金、銀、銅、黄銅、アルミニウム、マグネシウム、亜鉛、チタン、またはこれらの合金、チタン合金、ステンレススチール、タンタルカーバイドを採用することができ、高級感や耐久性などを向上することができる。さらに、例えば、リング部材に、ダイヤなどの宝石、貴石などの輝石、装飾石などからなる宝飾が設けられていても良く、または、リング部材自体をこれらの宝飾から構成しても良く、さらに高級感、装飾性に優れたバンドの連結構造を提供することができる。
【００２７】
さらに、このように指標突設部の外周に、リング部材が装着されていれば、指標突設部自体の強度、耐久性を向上することができる。
また、本発明のバンドの連結構造は、前記指標突設部が、遊嵌部材の係合突起と一体的に形成されていることを特徴とする。
このように指標突設部が、遊嵌部材の係合突起と一体的に形成されていれば、指標突設部が、遊嵌部材の係合突起の強度、耐久性を向上することができ、例えば、指標突設部と遊嵌部材の係合突起とを剛性の高い金属から構成することによって、遊嵌部材の係合突起を、他方のバンドの係止孔に、挿入し易く、係止するのに手間がかからず、係合突起が係止操作によって曲がらず、繰り返しの使用によっても破断せず、遊嵌部材から脱落するおそれがなく、耐久性も向上する。
【００２８】
また、本発明のバンドの連結構造は、前記指標突設部に、凹部が形成されており、この凹部に指標部材が嵌合されていることを特徴とする。
このように構成することによって、指標突設部の凹部に嵌合された指標部材によって、遊嵌部材の外側から、この指標部材によって、指標突設部が視認し易くなり、係合突起の位置を視認でき、確認できるので、遊嵌部材の外側から、遊嵌部材の内周側に形成された係合突起の位置が確実に確認できる。
このため、遊嵌部材の係合突起を、他方のバンドの所定の位置の係止孔に挿入し易く、係止するのに手間がかからず、確実に係止でき、しかも、この指標突設部と指標部材の組み合わせ、または、指標部材自体を、デザイン的に優れたデザインとすることによって、装飾性に優れ、美観が向上したバンドの連結構造を提供することができる。
【００２９】
この場合、指標突設部の凹部、指標部材の形状、数、配置位置、色、材質などは、特に限定されるものではなく、様々な形状、数、配置位置、色、材質の指標部材を適宜選択することができる。
例えば、指標突設部の凹部を、複数の指標突設部の凹部を離間して設けることができる。また、１つの凹部に、複数の指標部材を嵌合することもできる。
また、例えば、指標部材を、金、銀、銅、黄銅、アルミニウム、マグネシウム、亜鉛、チタン、またはこれらの合金、チタン合金、ステンレススチール、タンタルカーバイド、樹脂などを採用することができ、高級感や耐久性などを向上することができる。さらに、例えば、指標部材に、ダイヤなどの宝石、貴石などの輝石、装飾石などからなる宝飾が設けられていても良く、または、指標部材自体をこれらの宝飾から構成しても良く、さらに高級感、装飾性に優れたバンドの連結構造を提供することができる。
【００３０】
さらに、このように指標突設部の凹部に、指標部材が嵌合されていれば、指標突設部自体の強度、耐久性を向上することができる。
また、本発明のバンドの連結構造は、前記指標部材が、有色であることを特徴とする。
このように指標部材が、有色であれば、遊嵌部材の外側から、この有色の指標部材によって、指標突設部が視認し易くなり、係合突起の位置を視認でき、確認できるので、遊嵌部材の外側から、遊嵌部材の内周側に形成された係合突起の位置が確実に確認できる。
【００３１】
例えば、指標突設部の色としては、遊嵌部材、指標突設部と同色色調のもの、異色色調のものを適宜選択することができる。
また、本発明のバンドの連結構造は、前記位置合わせ部が、遊嵌部材の外周側の係合突起に対応する位置に形成された指標凹部から構成されていることを特徴とする。
このように位置合わせ部が、遊嵌部材の外周側の係合突起に対応する位置に形成された指標凹部から構成されていれば、この指標凹部によって、係合突起の位置を視認でき、確認できるので、遊嵌部材の外側から、遊嵌部材の内周側に形成された係合突起の位置が確実に確認できる。
【００３２】
このため、遊嵌部材の係合突起を、他方のバンドの所定の位置の係止孔に挿入し易く、係止するのに手間がかからず、確実に係止でき、しかも、この指標凹部を、デザイン的に優れたデザインとすることによって、装飾性に優れ、美観が向上したバンドの連結構造を提供することができる。
【００３３】
また、指標凹部の形状、数、配置位置などは、特に限定されるものではなく、様々な形状、数、配置位置の指標凹部を適宜選択することができる。
また、本発明のバンドの連結構造は、前記指標凹部に、指標部材が嵌合されていることを特徴とする。
このように構成することによって、指標凹部に嵌合された指標部材によって、遊嵌部材の外側から、この指標部材によって、指標凹部が視認し易くなり、係合突起の位置を視認でき、確認できるので、遊嵌部材の外側から、遊嵌部材の内周側に形成された係合突起の位置が確実に確認できる。
【００３４】
このため、遊嵌部材の係合突起を、他方のバンドの所定の位置の係止孔に挿入し易く、係止するのに手間がかからず、確実に係止でき、しかも、この指標凹部と指標部材の組み合わせ、または、指標部材自体を、デザイン的に優れたデザインとすることによって、装飾性に優れ、美観が向上したバンドの連結構造を提供することができる。
【００３５】
この場合、指標凹部の形状、数、配置位置などは、特に限定されるものではない。また、この指標部材として、様々な形状、数、配置位置、色、材質の指標部材を適宜選択することができる。
例えば、指標凹部を、複数の指標凹部を離間して設けることができる。また、１つの指標凹部に、複数の指標部材を嵌合することもできる。
また、例えば、指標部材を、金、銀、銅、黄銅、アルミニウム、マグネシウム、亜鉛、チタン、またはこれらの合金、チタン合金、ステンレススチール、タンタルカーバイド、樹脂などを採用することができ、高級感や耐久性などを向上することができる。さらに、例えば、指標部材に、ダイヤなどの宝石、貴石などの輝石、装飾石などからなる宝飾が設けられていても良く、または、指標部材自体をこれらの宝飾から構成しても良く、さらに高級感、装飾性に優れたバンドの連結構造を提供することができる。
【００３６】
さらに、このように指標凹部に、指標部材が嵌合されていれば、遊嵌部材自体の強度、耐久性を向上することができる。
また、本発明のバンドの連結構造は、前記他方のバンドに形成された係止孔と、遊嵌部材の内周側に形成された係合突起とが合致する位置となるように、他方のバンドに、遊嵌部材を位置決めするバンド側位置合わせ部を形成したことを特徴とする。
このように他方のバンドに、他方のバンドに形成された係止孔と、遊嵌部材の内周側に形成された係合突起とが合致する位置となるように、遊嵌部材を位置決めするバンド側位置合わせ部を形成したので、このバンド側位置合わせ部を用いることによって、２つのバンドを相互に重ね合わせて連結する際に、遊嵌部材の外側から、遊嵌部材の内周側に形成
された係合突起の位置、ならびに、他方のバンドに形成された係止孔の位置が確認できる。
【００３７】
このため、遊嵌部材の係合突起を、他方のバンドの所定の位置の係止孔に挿入し易く、係止するのに手間がかからず、確実に係止でき、しかも、このバンド側位置合わせ部自体を、デザイン的に優れたデザインとすることによって、装飾性に優れ、美観が向上したバンドの連結構造を提供することができる。
また、本発明のバンドの連結構造は、前記バンド側位置合わせ部が、位置合わせマークから構成されていることを特徴とする。
このようにバンド側位置合わせ部が、位置合わせマークから構成されていれば、この位置合わせマークによって、２つのバンドを相互に重ね合わせて連結する際に、遊嵌部材の外側から、遊嵌部材の内周側に形成された係合突起の位置、ならびに、他方のバンドに形成された係止孔の位置が確認できる。
【００３８】
このため、遊嵌部材の係合突起を、他方のバンドの所定の位置の係止孔に挿入し易く、係止するのに手間がかからず、確実に係止でき、しかも、このバンド側位置合わせ部自体を、デザイン的に優れたデザインとすることによって、装飾性に優れ、美観が向上したバンドの連結構造を提供することができる。
この場合、位置合わせマークとしては、特に限定されるものではなく、例えば、印刷、スピンコート、塗装、ラミネート樹脂フィルムの貼着などによって形成することができる。
また、位置合わせマークの形状、数、配置位置、色、材質などは、特に限定されるものではなく、様々な形状、数、配置位置、色、材質の位置合わせマークを適宜選択することができる。
【００３９】
例えば、位置合わせマークの色としては、遊嵌部材と同色色調のもの、異色色調のものを適宜選択することができる。
また、本発明のバンドの連結構造は、前記バンド側位置合わせ部が、位置合わせ突設部から構成されていることを特徴とする。
このようにバンド側位置合わせ部が、位置合わせ突設部から構成されていれば、この位置合わせ突設部によって、２つのバンドを相互に重ね合わせて連結する際に、遊嵌部材の外側から、遊嵌部材の内周側に形成された係合突起の位置、ならびに、他方のバンドに形成された係止孔の位置が確認できる。
【００４０】
このため、遊嵌部材の係合突起を、他方のバンドの所定の位置の係止孔に挿入し易く、係止するのに手間がかからず、確実に係止でき、しかも、このバンド側位置合わせ部自体を、デザイン的に優れたデザインとすることによって、装飾性に優れ、美観が向上したバンドの連結構造を提供することができる。
また、位置合わせ突設部の形状、数、配置位置、色、材質などは、特に限定されるものではなく、様々な形状、数、配置位置の位置合わせ突設部を適宜選択することができる。
例えば、位置合わせ突設部を、他方のバンドの幅方向に突設する凸条、一体間隔離間した突部など、様々な形状、数、配置位置の位置合わせ突設部とすることができる。
【００４１】
また、例えば、位置合わせ突設部を、他方のバンドと同じ材料で、一体的に形成する他、別部材からなる他、位置合わせ突設部として、例えば、金、銀、銅、黄銅、アルミニウム、マグネシウム、亜鉛、チタン、またはこれらの合金、チタン合金、ステンレススチール、タンタルカーバイドを採用することができ、高級感や耐久性などを向上することができる。
さらに、例えば、位置合わせ突設部に、ダイヤなどの宝石、貴石などの輝石、装飾石などからなる宝飾が設けられていても良く、または、位置合わせ突設部自体をこれらの宝飾
から構成しても良く、さらに高級感、装飾性に優れたバンドの連結構造を提供することができる。
さらに、例えば、位置合わせ突設部の色としては、遊嵌部材と同色色調のもの、異色色調のものを適宜選択することができる。
また、本発明のバンドの連結構造は、前記バンド側位置合わせ部が、位置合わせ凹部から構成されていることを特徴とする。
このようにバンド側位置合わせ部が、位置合わせ凹部から構成されていれば、この位置合わせ凹部によって、係合突起の位置を視認でき、確認できるので、遊嵌部材の外側から、遊嵌部材の内周側に形成された係合突起の位置が確実に確認できる。
【００４２】
このため、遊嵌部材の係合突起を、他方のバンドの所定の位置の係止孔に挿入し易く、係止するのに手間がかからず、確実に係止でき、しかも、この位置合わせ凹部を、デザイン的に優れたデザインとすることによって、装飾性に優れ、美観が向上したバンドの連結構造を提供することができる。
また、位置合わせ凹部の形状、数、配置位置などは、特に限定されるものではなく、様々な形状、数、配置位置の指標凹部を適宜選択することができる。
【００４３】
また、本発明のバンドの連結構造は、前記バンド側位置合わせ部と位置合わせするための補助位置決め部が、遊嵌部材に形成されていることを特徴とする。
このようにバンド側位置合わせ部と位置合わせするための補助位置決め部が、遊嵌部材に形成されていれば、この補助位置決め部によって、遊嵌部材の位置を、バンド側位置合わせ部に合わせて位置決めできるため、係合突起の位置を視認でき、確認できるので、遊嵌部材の外側から、遊嵌部材の内周側に形成された係合突起の位置が確実に確認できる。
このため、遊嵌部材の係合突起を、他方のバンドの所定の位置の係止孔に挿入し易く、係止するのに手間がかからず、確実に係止でき、しかも、この位置合わせ凹部を、デザイン的に優れたデザインとすることによって、装飾性に優れ、美観が向上したバンドの連結構造を提供することができる。
【００４４】
また、本発明のバンドの連結構造は、前記補助位置決め部が、遊嵌部材の端部であることを特徴とする。
このように構成することによって、遊嵌部材の位置を、遊嵌部材の端部とバンド側位置合わせ部に合わせることによって、位置決めできるため、係合突起の位置を視認でき、確認できるので、遊嵌部材の外側から、遊嵌部材の内周側に形成された係合突起の位置が確実に確認できる。
【００４５】
このため、遊嵌部材の係合突起を、他方のバンドの所定の位置の係止孔に挿入し易く、係止するのに手間がかからず、確実に係止でき、しかも、この位置合わせ凹部を、デザイン的に優れたデザインとすることによって、装飾性に優れ、美観が向上したバンドの連結構造を提供することができる。
【００４６】
しかも、この場合、補助位置決め部が、遊嵌部材の端部を利用するだけで良いので、別途補助位置決め部を作製する必要がないので、製造コストを低減することができる。
また、本発明のバンドの連結構造は、前記補助位置決め部が、遊嵌部材に形成された位置決め窓部であることを特徴とする。
このように構成することによって、遊嵌部材の位置を、遊嵌部材に形成された位置決め窓部を介して、バンド側位置合わせ部に合わせることによって、位置決めできるため、係合突起の位置を視認でき、確認できるので、遊嵌部材の外側から、遊嵌部材の内周側に形成された係合突起の位置が確実に確認できる。
【００４７】
このため、遊嵌部材の係合突起を、他方のバンドの所定の位置の係止孔に挿入し易く、
係止するのに手間がかからず、確実に係止でき、しかも、この位置合わせ凹部を、デザイン的に優れたデザインとすることによって、装飾性に優れ、美観が向上したバンドの連結構造を提供することができる。
しかも、この場合、補助位置決め部が、遊嵌部材に位置決め窓部を形成するだけで良いので、別途補助位置決め部を作製する必要がないので、製造コストを低減することができる。
この場合、窓部の形状としては、特に限定されるものではなく、例えば、四角柱状、三角柱状、星型形状などを採用することができる。
【発明の効果】
【００４８】
本発明によれば、２つのバンドを相互に重ね合わせて連結する際に、遊嵌部材の内周側に形成された係合突起に対応する位置に、位置合わせ部が形成されているので、この位置合わせ部によって、係合突起の位置を視認でき、確認できるので、遊嵌部材の外側から、遊嵌部材の内周側に形成された係合突起の位置が確実に確認できる。
【００４９】
このため、遊嵌部材の係合突起を、他方のバンドの所定の位置の係止孔に挿入し易く、係止するのに手間がかからず、確実に係止でき、運動や、振動などによっても、他方のバンドの係止孔と、遊嵌部材の係合突起との係合状態が解除されるおそれがなく、その結果、他方のバンドの先端部分が、邪魔にならず、バンドが脱落するおそれもない。
しかも、この位置合わせ部を、デザイン的に優れたデザインとすることによって、装飾性に優れ、美観が向上したバンドの連結構造を提供することができる。
【００５０】
また、遊嵌部材の係合突起が、例えば、樹脂などの可撓性の材料から形成されている場合にも、この位置合わせ部によって、係合突起の位置を視認でき、確認できるので、遊嵌部材の係合突起を、他方のバンドの係止孔に、挿入し易く、係止するのに手間がかからず、係合突起が係止操作によって曲がらず、繰り返しの使用によっても破断せず、遊嵌部材から脱落するおそれがなく、耐久性も向上したバンドの連結構造を提供することができる。
【発明を実施するための最良の形態】
【００５１】
以下、本発明の実施の形態（実施例）を図面に基づいてより詳細に説明する。
（実施例１）
【００５２】
図１は、本発明のバンドの連結構造を腕時計バンドに適用した実施例を示す斜視図、図２は、図１のバンドの連結構造の部分拡大斜視図である。
図１〜図２において、符号１０は、全体で本発明のバンドの連結構造を示している。
図１、図２に示したように、本発明のバンドの連結構造１０は、腕時計本体１２の一方の端部１２ａに、連結ピン１４を介して、回動自在に連結された一方のバンド１６を備えている。
この一方のバンド１６には、その先端部に、連結ピン１４を介して、回動自在に連結された略矩形状の尾錠１８を備えている。この尾錠１８は、略矩形状の枠部材２０と、その基端部に回動自在に連結されたツク棒２２を備えている。
【００５３】
また、この尾錠１８と腕時計本体１２の一方の端部１２ａとの間には、一方のバンド１６に遊嵌状態で装着された環状の遊嵌部材２４を備えている。この遊嵌部材２４には、その内周側に突設するように形成された係合突起２６を備えている。
一方、腕時計本体１２の他方の端部１２ｂに、連結ピン１４を介して、回動自在に連結された他方のバンド２８を備えている。
この他方のバンド２８には、その先端部近傍に、他方のバンド２８の長手方向に所定間隔離間して、複数の係止孔３０が形成されている。
【００５４】
また、遊嵌部材２４の外周側、ずなわち、図２において上側には、遊嵌部材２４の内周側に形成された係合突起２６に対応する位置に、係合突起２６の位置を視認できるようにした位置合わせ部３２である指標マーク３４が形成されている。
この実施例では、指標マーク３４は、４個の三角形状の指標マーク３４から形成されており、これにより、これらの指標マーク３４の指し示す中心部分が、遊嵌部材２４の内周側に形成された係合突起２６に対応する位置となっている。
【００５５】
この場合、指標マーク３４としては、特に限定されるものではなく、例えば、印刷、スピンコート、塗装、ラミネート樹脂フィルムの貼着などによって形成することができる。
また、指標マーク３４の形状、数、配置位置、色、材質などは、特に限定されるものではなく、例えば、四角形状、三角形状、円形状、星型形状などの様々な形状、数、配置位置、色、材質の指標マークを適宜選択することができる。
例えば、指標マーク３４の色としては、遊嵌部材と同色色調のもの、異色色調のものを適宜選択することができる。
このように構成されるバンドの連結構造１０では、２つのバンド１６、２８を相互に重ね合わせて着脱自在に連結するようになっている。
【００５６】
すなわち、図１７に示した従来のバンドの連結構造１００と同様に、図示しないが、他方のバンド２８の先端部２８ａを、尾錠１８の枠部材２０の開口部２０ａの下方より挿入して、他方のバンド２８の所定の位置の係止孔３０に、尾錠１８のツク棒２２を、他方のバンド２８の裏側から挿入して係止することによって、他方のバンド２８の長さを所定の長さとなるようにする。
そして、尾錠１８の枠部材２０の開口部２０ａの上方に位置する他方のバンド２８の先端部２８ａを遊嵌部材２４に挿入して、他方のバンド２８の尾錠１８の枠部材２０の開口部２０ａから先端部２８ａまでの部分を、一方のバンド１６の上側に重ね合わせる。
【００５７】
この状態で、遊嵌部材２４を、その両側部を指などで押すことによって、遊嵌部材２４を拡径するように撓ませて、遊嵌部材２４の内周側に形成された係合突起２６を上方側に位置させつつ、これらのバンド１６、２８の長手方向に移動させる。これにより、係合突起２６と他方のバンド２８の係止孔３０の位置を合わせて、遊嵌部材２４の両側部からの押圧を解除して、遊嵌部材２４の撓み状態を解除して、遊嵌部材２４を上側から下方へ押すことによって、遊嵌部材２４の内周側に形成された係合突起２６を下方に移動させて、他方のバンド２８の所定の位置の係止孔３０に挿入して係止する。
【００５８】
すなわち、この際に、位置合わせ部３２が、遊嵌部材２４の外周側の係合突起２６に対応する位置に形成された指標マーク３４から構成されているので、この指標マーク３４によって、係合突起２６の位置を視認でき、確認できるので、遊嵌部材２４の外側から、遊嵌部材２４の内周側に形成された係合突起２６の位置が確実に確認できる。
従って、これによって、遊嵌部材２４の内周側に形成された係合突起２６と、他方のバンド２８の所定の位置の係止孔３０とを正確に位置合わせすることができる。
この状態で、図示しないが、例えば、指などで、指標マーク３４の指し示す中心部分を下方に押すことによって、遊嵌部材２４の内周側に形成された係合突起２６を、他方のバンド２８の所定の位置の係止孔３０に確実に挿入して係止することができる。
【００５９】
これによって、他方のバンド２８の尾錠１８の枠部材２０の開口部２０ａから先端部２８ａまでの部分が、運動や、振動などによって、一方のバンド１６の上側から離間する方向に移動して、邪魔になることがなく、また、他方のバンド２８の係止孔３０と、尾錠１８のツク棒２２との係合状態が解除されて、手首から腕時計本体１２が脱落することがないように構成されている。
このように位置合わせ部３２が、遊嵌部材２４の外周側の係合突起２６に対応する位置に形成された指標マーク３４から構成されていれば、この指標マーク３４によって、係合突起２６の位置を視認でき、確認できるので、遊嵌部材２４の外側から、遊嵌部材２４の内周側に形成された係合突起２６の位置が確実に確認できる。
【００６０】
このため、遊嵌部材２４の係合突起２６を、他方のバンド２８の所定の位置の係止孔３０に挿入し易く、係止するのに手間がかからず、確実に係止でき、しかも、この指標マーク３４を、デザイン的に優れたデザインとすることによって、装飾性に優れ、美観が向上したバンドの連結構造を提供することができる。
（実施例２）
【００６１】
図３は、本発明のバンドの連結構造の別の実施例の図２と同様な部分拡大斜視図、図４は、図３のバンドの連結構造の連結状態を示す部分拡大断面図である。
この実施例のバンドの連結構造１０は、図１〜図２に示した実施例と基本的には同様な構成であり、同一の構成部材には、同一の参照番号を付して、その詳細な説明を省略する。
この実施例のバンドの連結構造１０は、図３、図４に示したように、位置合わせ部３２が、遊嵌部材２４の外周側の係合突起２６に対応する位置に形成された略ボタン形状の指標突設部３６から構成され、この指標突設部３６は、遊嵌部材２４の遊嵌部材本体２４ａと一体的に形成されている。
【００６２】
この場合、指標突設部３６の形状、数、配置位置、色、材質などは、特に限定されるものではなく、例えば、四角柱状、三角柱状、星型形状の突設部など形様々な形状、数、配置位置の指標突設部３６を適宜選択することができる。
また、例えば、指標突設部３６を、金、銀、銅、黄銅、アルミニウム、マグネシウム、亜鉛、チタン、またはこれらの合金、チタン合金、ステンレススチール、タンタルカーバイドを採用することができ、高級感や耐久性などを向上することができる。さらに、例えば、指標突設部３６に、ダイヤなどの宝石、貴石などの輝石、装飾石などからなる宝飾が設けられていても良く、または、指標突設部３６自体をこれらの宝飾から構成しても良く、さらに高級感、装飾性に優れたバンドの連結構造を提供することができる。
【００６３】
さらに、例えば、指標突設部３６の色としては、遊嵌部材２４と同色色調のもの、異色色調のものを適宜選択することができる。
このように構成されるバンドの連結構造１０では、図１〜図２に示した実施例と同様に操作して、図４に示したように、２つのバンド１６、２８を相互に重ね合わせて着脱自在に連結する際に、指標突設部３６を介して、遊嵌部材２４を上側から下方へ押すことによって、遊嵌部材２４の内周側に形成された係合突起２６を下方に移動させて、他方のバンド２８の所定の位置の係止孔３０に挿入して係止するようになっている。
【００６４】
すなわち、この際に、位置合わせ部３２が、遊嵌部材２４の外周側の係合突起２６に対応する位置に形成された指標突設部３６から構成されているので、この指標突設部３６によって、係合突起２６の位置を視認でき、確認できるので、遊嵌部材２４の外側から、遊嵌部材２４の内周側に形成された係合突起２６の位置が確実に確認できる。
従って、これによって、遊嵌部材２４の内周側に形成された係合突起２６と、他方のバンド２８の所定の位置の係止孔３０とを正確に位置合わせすることができる。
【００６５】
この状態で、図示しないが、例えば、指などで、指標突設部３６の部分を下方に押すことによって、遊嵌部材２４の内周側に形成された係合突起２６を、他方のバンド２８の所定の位置の係止孔３０に確実に挿入して係止することができる。
これによって、他方のバンド２８の尾錠１８の枠部材２０の開口部２０ａから先端部２
８ａまでの部分が、運動や、振動などによって、一方のバンド１６の上側から離間する方向に移動して、邪魔になることがなく、また、他方のバンド２８の係止孔３０と、尾錠１８のツク棒２２との係合状態が解除されて、手首から腕時計本体１２が脱落することがないように構成されている。
【００６６】
このように位置合わせ部３２が、遊嵌部材２４の外周側の係合突起２６に対応する位置に形成された指標突設部３６から構成されているので、この指標突設部３６によって、係合突起２６の位置を視認でき、確認できるので、遊嵌部材２４の外側から、遊嵌部材２４の内周側に形成された係合突起２６の位置が確実に確認できる。
このため、遊嵌部材２４の係合突起を、他方のバンド２８の所定の位置の係止孔３０に挿入し易く、係止するのに手間がかからず、確実に係止でき、しかも、この指標突設部３６を、デザイン的に優れたデザインとすることによって、装飾性に優れ、美観が向上したバンドの連結構造を提供することができる。
（実施例３）
【００６７】
図５は、本発明のバンドの連結構造の別の実施例の図２と同様な部分拡大斜視図、図６は、図５のバンドの連結構造の連結状態を示す部分拡大断面図である。
この実施例のバンドの連結構造１０は、図１〜図２に示した実施例と基本的には同様な構成であり、同一の構成部材には、同一の参照番号を付して、その詳細な説明を省略する。
この実施例のバンドの連結構造１０では、図３に示した実施例と同様に、位置合わせ部３２が、遊嵌部材２４の外周側の係合突起２６に対応する位置に形成された略ボタン形状の指標突設部３６から構成され、この指標突設部３６は、遊嵌部材２４の遊嵌部材本体２４ａと一体的に形成されている。
【００６８】
そして、図５、図６に示したように、指標突設部３６の基端部３８は、縮径されており、これにより、指標突設部３６の外周に溝部４０が形成され、この溝部４０内に、リング部材４２が装着されている。
この場合、リング部材４２の形状、数、配置位置、色、材質などは、特に限定されるものではなく、様々な形状、数、配置位置、色、材質のリング部材４２を適宜選択することができる。
例えば、リング部材４２を、指標突設部３６の外周に、複数のリング部材４２を上下方向に離間して設けたり、部分的な円弧状のリング形状のリング部材４２を設けたりすることができる。
【００６９】
また、例えば、リング部材４２を、金、銀、銅、黄銅、アルミニウム、マグネシウム、亜鉛、チタン、またはこれらの合金、チタン合金、ステンレススチール、タンタルカーバイドを採用することができ、高級感や耐久性などを向上することができる。さらに、例えば、リング部材４２に、ダイヤなどの宝石、貴石などの輝石、装飾石などからなる宝飾が設けられていても良く、または、リング部材４２自体をこれらの宝飾から構成しても良く、さらに高級感、装飾性に優れたバンドの連結構造を提供することができる。
さらに、このように指標突設部３６の外周に、リング部材４２が装着されていれば、指標突設部３６自体の強度、耐久性を向上することができる。
【００７０】
このように指標突設部の外周に、リング部材４２が装着されていれば、遊嵌部材２４の外側から、このリング部材４２によって、指標突設部３６が視認し易くなり、係合突起２６の位置を視認でき、確認できるので、遊嵌部材２４の外側から、遊嵌部材２４の内周側に形成された係合突起２６の位置が確実に確認できる。
【００７１】
このため、図６に示したように、遊嵌部材２４の係合突起２６を、他方のバンド２８の
所定の位置の係止孔３０に挿入し易く、係止するのに手間がかからず、確実に係止でき、しかも、この指標突設部３６とリング部材４２の組み合わせ、または、リング部材４２自体を、デザイン的に優れたデザインとすることによって、装飾性に優れ、美観が向上したバンドの連結構造を提供することができる。
（実施例４）
【００７２】
図７は、本発明のバンドの連結構造を腕時計バンドに適用した別の実施例の図１と同様な斜視図、図８は、図７のバンドの連結構造の部分拡大斜視図、図９は、図７のバンドの連結構造の連結状態を示す部分拡大断面図である。
この実施例のバンドの連結構造１０は、図１〜図２に示した実施例と基本的には同様な構成であり、同一の構成部材には、同一の参照番号を付して、その詳細な説明を省略する。
【００７３】
この実施例のバンドの連結構造１０では、図３に示した実施例と同様に、位置合わせ部３２が、遊嵌部材２４の外周側の係合突起２６に対応する位置に形成された略ボタン形状の指標突設部３６から構成されている。
また、この指標突設部３６は、図７〜図９に示したように、遊嵌部材２４の内周側に形成された係合突起２６と、遊嵌部材２４の遊嵌部材本体２４ａに形成した貫通孔２４ｂに装着した連結部３６ａを介して、一体的に形成されている。
【００７４】
このように指標突設部３６が、遊嵌部材２４の係合突起２６と一体的に形成されていれば、指標突設部３６が、遊嵌部材２４の係合突起２６の強度、耐久性を向上することができ、例えば、指標突設部３６と遊嵌部材２４の係合突起２６とを剛性の高い金属から構成することによって、遊嵌部材２４の係合突起２６を、他方のバンド２８の係止孔３０に、挿入し易く、係止するのに手間がかからず、係合突起２６が係止操作によって曲がらず、繰り返しの使用によっても破断せず、遊嵌部材２４から脱落するおそれがなく、耐久性も向上する。
（実施例５）
【００７５】
図１０は、本発明のバンドの連結構造の指標突設部３６の別の実施例の断面図、図１１は、図１０の指標突設部３６の斜視図である。
この実施例のバンドの連結構造１０は、図７〜図９に示した実施例と基本的には同様な構成であり、同一の構成部材には、同一の参照番号を付して、その詳細な説明を省略する。
この実施例のバンドの連結構造１０の指標突設部３６の上面には、図１０、図１１に示したように、環状の凹部４４が形成されており、この凹部４４に、この実施例では、樹脂からなる指標部材４６が嵌合されている。
【００７６】
このように構成することによって、指標突設部３６の凹部４４に嵌合された指標部材４６によって、遊嵌部材２４の外側から、この指標部材４６によって、指標突設部３６が視認し易くなり、係合突起２６の位置を視認でき、確認できるので、遊嵌部材２４の外側から、遊嵌部材２４の内周側に形成された係合突起２６の位置が確実に確認できる。
【００７７】
このため、遊嵌部材２４の係合突起２６を、他方のバンドの所定の位置の係止孔に挿入し易く、係止するのに手間がかからず、確実に係止でき、しかも、この指標突設部３６と指標部材４６の組み合わせ、または、指標部材４６自体を、デザイン的に優れたデザインとすることによって、装飾性に優れ、美観が向上したバンドの連結構造を提供することができる。
【００７８】
この場合、指標突設部３６の凹部４４、指標部材４６の形状、数、配置位置、色、材質
などは、特に限定されるものではなく、例えば、四角柱状、三角柱状、星型形状など様々な形状、数、配置位置、色、材質の指標部材４６を適宜選択することができる。
【００７９】
例えば、指標突設部３６の凹部４４を、複数の指標突設部３６の凹部４４を離間して設けることができる。また、１つの凹部４４に、複数の指標部材４６を嵌合することもできる。
また、例えば、指標部材４６を、金、銀、銅、黄銅、アルミニウム、マグネシウム、亜鉛、チタン、またはこれらの合金、チタン合金、ステンレススチール、タンタルカーバイド、樹脂などを採用することができ、高級感や耐久性などを向上することができる。さらに、例えば、指標部材４６に、ダイヤなどの宝石、貴石などの輝石、装飾石などからなる宝飾が設けられていても良く、または、指標部材４６自体をこれらの宝飾から構成しても良く、さらに高級感、装飾性に優れたバンドの連結構造を提供することができる。
【００８０】
さらに、このように指標突設部３６の凹部４４に、指標部材４６が嵌合されていれば、指標突設部３６自体の強度、耐久性を向上することができる。
この場合、指標部材４６を、有色な材料から構成することができ、このように指標部材４６が、有色であれば、遊嵌部材２４の外側から、この有色の指標部材４６によって、指標突設部３６が視認し易くなり、係合突起の位置を視認でき、確認できるので、遊嵌部材２４の外側から、遊嵌部材２４の内周側に形成された係合突起の位置が確実に確認できる。
【００８１】
例えば、指標突設部３６の色としては、遊嵌部材２４、指標突設部３６と同色色調のもの、異色色調のものを適宜選択することができる。
（実施例６）
図１２は、本発明のバンドの連結構造の別の実施例のバンドの連結構造の連結状態を示す部分拡大断面図である。
この実施例のバンドの連結構造１０は、図７〜図９に示した実施例と基本的には同様な構成であり、同一の構成部材には、同一の参照番号を付して、その詳細な説明を省略する。
この実施例のバンドの連結構造１０は、図１２に示したように、位置合わせ部３２が、遊嵌部材２４の外周側の係合突起２６に対応する位置に形成された指標凹部４８から構成されている
【００８２】
このように位置合わせ部３２が、遊嵌部材２４の外周側の係合突起２６に対応する位置に形成された指標凹部４８から構成されていれば、この指標凹部４８によって、係合突起２６の位置を視認でき、確認できるので、遊嵌部材２４の外側から、遊嵌部材２４の内周側に形成された係合突起２６の位置が確実に確認できる。
このため、遊嵌部材２４の係合突起２６を、他方のバンド２８の所定の位置の係止孔３０に挿入し易く、係止するのに手間がかからず、確実に係止でき、しかも、この指標凹部４８を、デザイン的に優れたデザインとすることによって、装飾性に優れ、美観が向上したバンドの連結構造を提供することができる。
【００８３】
また、指標凹部４８の形状、数、配置位置などは、特に限定されるものではなく、例えば、四角柱状、三角柱状、星型形状など様々な形状、数、配置位置の指標凹部４８を適宜選択することができる。
【００８４】
この場合、図示しないが、指標凹部４８に、指標部材が嵌合されていても良い。
このように構成することによって、指標凹部４８に嵌合された指標部材によって、遊嵌部材２４の外側から、この指標部材によって、指標凹部４８が視認し易くなり、係合突起２６の位置を視認でき、確認できるので、遊嵌部材２４の外側から、遊嵌部材２４の内周
側に形成された係合突起２６の位置が確実に確認できる。
このため、遊嵌部材２４の係合突起２６を、他方のバンド２８の所定の位置の係止孔３０に挿入し易く、係止するのに手間がかからず、確実に係止でき、しかも、この指標凹部４８と指標部材の組み合わせ、または、指標部材自体を、デザイン的に優れたデザインとすることによって、装飾性に優れ、美観が向上したバンドの連結構造を提供することができる。
【００８５】
この場合、指標凹部４８の形状、数、配置位置などは、特に限定されるものではなく、例えば、四角柱状、三角柱状、星型形状など様々な形状、数、配置位置、色、材質の指標部材を適宜選択することができる。
例えば、指標凹部４８を、複数の指標凹部４８を離間して設けることができる。また、１つの指標凹部４８に、複数の指標部材を嵌合することもできる。
また、例えば、指標部材を、金、銀、銅、黄銅、アルミニウム、マグネシウム、亜鉛、チタン、またはこれらの合金、チタン合金、ステンレススチール、タンタルカーバイド、樹脂などを採用することができ、高級感や耐久性などを向上することができる。さらに、例えば、指標部材に、ダイヤなどの宝石、貴石などの輝石、装飾石などからなる宝飾が設けられていても良く、または、指標部材自体をこれらの宝飾から構成しても良く、さらに高級感、装飾性に優れたバンドの連結構造を提供することができる。
【００８６】
さらに、このように指標凹部４８に、指標部材が嵌合されていれば、遊嵌部材２４自体の強度、耐久性を向上することができる。
（実施例７）
【００８７】
図１３は、本発明のバンドの連結構造の別の実施例のバンドの連結構造の連結状態を示す部分拡大斜視図である。
この実施例のバンドの連結構造１０は、図７〜図９に示した実施例と基本的には同様な構成であり、同一の構成部材には、同一の参照番号を付して、その詳細な説明を省略する。
この実施例のバンドの連結構造１０は、図１３に示したように、他方のバンド２８に形成された係止孔３０と、遊嵌部材２４の内周側に形成された係合突起２６とが合致する位置となるように、他方のバンド２８の上面に、遊嵌部材２４を位置決めするバンド側位置合わせ部５０が形成されている。
【００８８】
この場合、バンド側位置合わせ部５０が、例えば、図１３に示したように、他方のバンド２８の幅方向に、延設され、他方のバンド２８に形成された複数の係止孔３０の間に位置するように形成された溝部から形成される位置合わせ凹部５２から構成されている。
このようにバンド側位置合わせ部５０が、位置合わせ凹部５２から構成されていれば、この位置合わせ凹部５２を、遊嵌部材２４の端部２４ｂに合わせることによって、遊嵌部材２４の係合突起２６の位置と、他方のバンド２８に形成された係止孔３０の位置を正確に合わすことができる。
これによって、係合突起２６の位置を視認でき、確認できるので、遊嵌部材２４の外側から、遊嵌部材２４の内周側に形成された係合突起２６の位置が確実に確認できる。
このため、遊嵌部材２４の係合突起２６を、他方のバンド２８の所定の位置の係止孔３０に挿入し易く、係止するのに手間がかからず、確実に係止でき、しかも、この位置合わせ凹部を、デザイン的に優れたデザインとすることによって、装飾性に優れ、美観が向上したバンドの連結構造を提供することができる。
【００８９】
また、位置合わせ凹部５２の形状、数、配置位置などは、特に限定されるものではなく、この実施例のように、溝部形状の他、例えば、円形、四角形、三角形の凹部など、様々な形状、数、配置位置の指標凹部を適宜選択することができる。
この場合、図示しないが、バンド側位置合わせ部５０を、位置合わせマークから構成することもできる。
このようにバンド側位置合わせ部５０が、位置合わせマークから構成されていれば、この位置合わせマークによって、２つのバンドを相互に重ね合わせて連結する際に、遊嵌部材２４の外側から、遊嵌部材２４の内周側に形成された係合突起２６の位置、ならびに、他方のバンド２８に形成された係止孔３０の位置が確認できる。
【００９０】
このため、遊嵌部材２４の係合突起２６を、他方のバンド２８の所定の位置の係止孔３０に挿入し易く、係止するのに手間がかからず、確実に係止でき、しかも、このバンド側位置合わせ部５０自体を、デザイン的に優れたデザインとすることによって、装飾性に優れ、美観が向上したバンドの連結構造を提供することができる。
この場合、位置合わせマークとしては、特に限定されるものではなく、例えば、印刷、スピンコート、塗装、ラミネート樹脂フィルムの貼着などによって形成することができる。
【００９１】
また、位置合わせマークの形状、数、配置位置、色、材質などは、特に限定されるものではなく、様々な形状、数、配置位置、色、材質の位置合わせマークを適宜選択することができる。
例えば、位置合わせマークの色としては、遊嵌部材と同色色調のもの、異色色調のものを適宜選択することができる。
また、図示しないが、バンド側位置合わせ部５０を、例えば、他方のバンド２８の長手方向に形成した突条などの位置合わせ突設部から構成することもできる。
【００９２】
このようにバンド側位置合わせ部５０が、位置合わせ突設部から構成されていれば、この位置合わせ突設部によって、２つのバンドを相互に重ね合わせて連結する際に、遊嵌部材２４の外側から、遊嵌部材２４の内周側に形成された係合突起２６の位置、ならびに、他方のバンド２８に形成された係止孔３０の位置が確認できる。
このため、遊嵌部材２４の係合突起２６を、他方のバンド２８の所定の位置の係止孔３０に挿入し易く、係止するのに手間がかからず、確実に係止でき、しかも、このバンド側位置合わせ部５０自体を、デザイン的に優れたデザインとすることによって、装飾性に優れ、美観が向上したバンドの連結構造を提供することができる。
【００９３】
また、位置合わせ突設部の形状、数、配置位置、色、材質などは、特に限定されるものではなく、様々な形状、数、配置位置の位置合わせ突設部を適宜選択することができる。
例えば、位置合わせ突設部を、他方のバンド２８の幅方向に突設する凸条、一体間隔離間した突部など、様々な形状、数、配置位置の位置合わせ突設部とすることができる。
【００９４】
また、例えば、位置合わせ突設部を、他方のバンド２８と同じ材料で、一体的に形成する他、別部材からなる他、位置合わせ突設部として、例えば、金、銀、銅、黄銅、アルミニウム、マグネシウム、亜鉛、チタン、またはこれらの合金、チタン合金、ステンレススチール、タンタルカーバイドを採用することができ、高級感や耐久性などを向上することができる。
さらに、例えば、位置合わせ突設部に、ダイヤなどの宝石、貴石などの輝石、装飾石などからなる宝飾が設けられていても良く、または、位置合わせ突設部自体をこれらの宝飾から構成しても良く、さらに高級感、装飾性に優れたバンドの連結構造を提供することができる。
【００９５】
さらに、例えば、位置合わせ突設部の色としては、遊嵌部材２４と同色色調のもの、異色色調のものを適宜選択することができる。
また、この場合、バンド側位置合わせ部と位置合わせするための補助位置決め部が、遊
嵌部材に形成されており、この実施例の場合には、補助位置決め部５４が、遊嵌部材に形成された、遊嵌部材２４の端部２４ｂから構成されている。
【００９６】
このように構成することによって、遊嵌部材２４の位置を、遊嵌部材２４の端部２４ｂとバンド側位置合わせ部５０に合わせることによって、位置決めできるため、係合突起２６の位置を視認でき、確認できるので、遊嵌部材２４の外側から、遊嵌部材２４の内周側に形成された係合突起２６の位置が確実に確認できる。
【００９７】
このため、遊嵌部材２４の係合突起２６を、他方のバンド２８の所定の位置の係止孔３０に挿入し易く、係止するのに手間がかからず、確実に係止でき、しかも、この位置合わせ凹部を、デザイン的に優れたデザインとすることによって、装飾性に優れ、美観が向上したバンドの連結構造を提供することができる。
しかも、この場合、補助位置決め部５４が、遊嵌部材２４の端部２４ｂを利用するだけで良いので、別途補助位置決め部を作製する必要がないので、製造コストを低減することができる。
（実施例８）
【００９８】
図１４は、本発明のバンドの連結構造の別の実施例のバンドの連結構造の連結状態を示す部分拡大斜視図である。
この実施例のバンドの連結構造１０は、図７〜図９に示した実施例と基本的には同様な構成であり、同一の構成部材には、同一の参照番号を付して、その詳細な説明を省略する。
この実施例のバンドの連結構造１０は、図１４に示したように、バンド側位置合わせ部５０を、他方のバンド２８の側面に、他方のバンド２８に形成された係止孔３０の位置に対応するように形成された、位置合わせマーク５６から構成している。
【００９９】
この場合、位置合わせマーク５６としては、特に限定されるものではなく、例えば、印刷、スピンコート、塗装、ラミネート樹脂フィルムの貼着などによって形成することができる。
また、位置合わせマーク５６の形状、数、配置位置、色、材質などは、特に限定されるものではなく、様々な形状、数、配置位置、色、材質の位置合わせマークを適宜選択することができる。
例えば、位置合わせマーク５６の色としては、遊嵌部材と同色色調のもの、異色色調のものを適宜選択することができる。
【０１００】
また、補助位置決め部６０を、遊嵌部材２４に形成された位置決め窓部５８から構成している。
この実施例では、位置合わせマーク５６は、他方のバンド２８に形成された複数の係止孔３０にそれぞれ対応する位置に、略三角形の位置合わせマーク５６を形成しており、これにより、位置決め窓部５８に、所望の他方のバンド２８に形成された係止孔３０に対応する位置合わせマーク５６を合わせることができる。
これにより、遊嵌部材２４の係合突起２６の位置と、他方のバンド２８に形成された係止孔３０の位置を正確に合わすことができる。
このように構成することによって、遊嵌部材２４の位置を、遊嵌部材２４に形成された位置決め窓部５８を介して、バンド側位置合わせ部５０である位置合わせマーク５６に合わせることによって、位置決めできるため、係合突起２６の位置を視認でき、確認できるので、遊嵌部材２４の外側から、遊嵌部材２４の内周側に形成された係合突起２６の位置が確実に確認できる。
【０１０１】
このため、遊嵌部材２４の係合突起２６を、他方のバンド２８の所定の位置の係止孔３
０に挿入し易く、係止するのに手間がかからず、確実に係止でき、しかも、この位置合わせマーク５６、位置決め窓部５８を、デザイン的に優れたデザインとすることによって、装飾性に優れ、美観が向上したバンドの連結構造を提供することができる。
しかも、この場合、補助位置決め部６０が、遊嵌部材２４に位置決め窓部５８を形成するだけで良いので、別途補助位置決め部を作製する必要がないので、製造コストを低減することができる。
【０１０２】
この場合、窓部の形状としては、特に限定されるものではなく、例えば、四角柱状、三角柱状、星型形状などを採用することができる。
以上、本発明の好ましい実施の態様を説明してきたが、本発明はこれに限定されることはなく、例えば、上記実施例では、腕時計のベルトに適用したバンドの連結構造について説明したが、ズボンのベルト、カバンのベルトなど、２つのバンドを相互に重ね合わせて着脱自在に連結される部位についても適用できるなど本発明の目的を逸脱しない範囲で種々の変更が可能である。
【図面の簡単な説明】
【０１０３】
【図１】図１は、本発明のバンドの連結構造を腕時計バンドに適用した実施例を示す斜視図である。
【図２】図２は、図１のバンドの連結構造の部分拡大斜視図である。
【図３】図３は、本発明のバンドの連結構造の別の実施例の図２と同様な部分拡大斜視図である。
【図４】図４は、図３のバンドの連結構造の連結状態を示す部分拡大断面図である。
【図５】図５は、本発明のバンドの連結構造の別の実施例の図２と同様な部分拡大斜視図である。
【図６】図６は、図５のバンドの連結構造の連結状態を示す部分拡大断面図である。
【図７】図７は、本発明のバンドの連結構造を腕時計バンドに適用した別の実施例の図１と同様な斜視図である。
【図８】図８は、図７のバンドの連結構造の部分拡大斜視図である。
【図９】図９は、図７のバンドの連結構造の連結状態を示す部分拡大断面図である。
【図１０】図１０は、本発明のバンドの連結構造の指標突設部３６の別の実施例の断面図である。
【図１１】図１１は、図１０の指標突設部３６の斜視図である。
【図１２】図１２は、本発明のバンドの連結構造の別の実施例のバンドの連結構造の連結状態を示す部分拡１大断面図である。
【図１３】図１３は、本発明のバンドの連結構造の別の実施例のバンドの連結構造の連結状態を示す部分拡大斜視図である。
【図１４】図１４は、本発明のバンドの連結構造の別の実施例のバンドの連結構造の連結状態を示す部分拡大斜視図である。
【図１５】図１５は、従来のバンドの連結構造の斜視図である。
【図１６】図１６は、従来のバンドの連結構造の部分拡大断面図である。
【図１７】図１７は、従来のバンドの連結構造の連結状態を示す断面視図である。
【符号の説明】
【０１０４】
１０   バンドの連結構造
１２ａ 端部
１２ｂ 端部
１２   腕時計本体
１４   連結ピン
１６   一方のバンド
１８   尾錠
２０   枠部材
２０ａ 開口部
２２   ツク棒
２４   遊嵌部材
２４ａ 遊嵌部材本体
２４ｂ 端部
２６   係合突起
２８   他方のバンド
２８ａ 先端部
３０   係止孔
３２   位置合わせ部
３４   指標マーク
３６   指標突設部
３８   基端部
４０   溝部
４２   リング部材
４４   凹部
４６   指標部材
４８   指標凹部
５０   部
５２   凹部
５４   位置合わせ部
５６   位置合わせマーク
５８   位置決め窓部
６０   補助位置決め部
１００ バンドの連結構造
１０２ 腕時計本体
１０２ａ      端部
１０２ｂ      端部
１０４ 連結ピン
１０６ バンド
１０８ 尾錠
１１０ 枠部材
１１０ａ      開口部
１１２ ツク棒
１１４ 遊嵌部材
１１６ 係合突起
１１８ バンド
１１８ａ      先端部
１２０ 係止孔
【図１】
0005166930.tif 000002
【図２】
0005166930.tif 000003
【図３】
0005166930.tif 000004
【図４】
0005166930.tif 000005
【図５】
0005166930.tif 000006
【図６】
0005166930.tif 000007
【図７】
0005166930.tif 000008
【図８】
0005166930.tif 000009
【図９】
0005166930.tif 000010
【図１０】
0005166930.tif 000011
【図１１】
0005166930.tif 000012
【図１２】
0005166930.tif 000013
【図１３】
0005166930.tif 000014
【図１４】
0005166930.tif 000015
【図１５】
0005166930.tif 000016
【図１６】
0005166930.tif 000017
【図１７】
0005166930.tif 000018